(57)【要約】      （修正有）【課題】部屋の複数の壁面に、電子ペンで読み取ることができるコード化パターンを形成することで壁面を有効活用したシステムを提供する。【解決手段】異なる座標領域の位置座標を示すドットパターンが印刷されたシート４を、部屋の壁面ごとに取り付ける。このドットパターンを読み取り位置座標を演算する電子ペン１と、電子ペン１から送信された入力情報を受信して、当該情報に応じた処理を行うコンピュータ装置２とを設ける。このような情報処理システムにおいて、コンピュータ装置２には、記憶手段に、壁面３とそれに取り付けられたドットパターンの座標領域とを対応付けた管理テーブルを記憶させ、処理手段は、管理テーブルを参照して、電子ペン１から送信された入力情報から、入力された壁面３のシート４を識別する。【選択図】図１
0003154685.tif 000002
【実用新案登録請求の範囲】
【請求項１】
壁面に取り付けられ、壁面ごとに異なる座標領域の位置座標を示すコード化パターンが形成されたシートと、
前記コード化パターンを読み取る読取手段と、
前記読取手段から送信されたコード化パターンに関する情報を受信して、当該情報に応じた処理を行うコンピュータ装置とを備え、
前記コンピュータ装置は、
前記電子ペンから送信されたコード化パターンに関する情報を受信する受信手段と、
壁面と当該壁面に取り付けられたシートに形成されたコード化パターンの座標領域とを対応付けた管理テーブルを記憶する記憶手段と、
前記記憶手段に記憶された前記管理テーブルを参照して、前記受信手段により受信したコード化パターンに関する情報から電子ペンで記入されたシートを識別する処理手段と
を備えることを特徴とする情報処理システム。
【請求項２】
隣接する壁面に形成されたコード化パターンにより示される位置座標が、壁面の境界で連続していることを特徴とする請求項１に記載の情報処理システム。
【請求項３】
前記シートには、壁面ごとに識別情報が形成されていることを特徴とする請求項１又は２に記載の情報処理システム。
【考案の詳細な説明】
【技術分野】
【０００１】
本考案は、位置座標を示すコード化パターンを用いて情報を入力することができる情報処理システムに関し、特に、壁面にコード化パターンを形成したシステムに関する。
【背景技術】
【０００２】
近年、記入した情報を電子化する電子ペンが開発されており、その代表的なものとしてスウェーデンのAnoto 社が開発した「アノトペン（Anoto pen）」が知られている。アノトペンは、所定のアルゴリズムによりパターン化された位置座標を示すドットパターンが印刷された専シートとともに使用される（例えば、特許文献１参照）。
【０００３】
また、このような電子ペンと、コンピュータ、プロジェクター及びスクリーンを用いて、スクリーンに電子ペンで記入ないし走査すると、それに応じてコンピュータが所定の処理を行うとともに、コンピュータの表示画面をプロジェクターでスクリーンに投影するシステムを本出願人は、提案されている（例えば、特許文献２）。ここにおいて、スクリーンに形成したドットパターンの座標系と、コンピュータ装置の表示画面における座標系を合わせるためのキャリブレーション処理についても提案している。また、同様のシステムにおいて、ドットパターンが形成されたスクリーンを壁面にフックなどで取り付けることも提案されている（特許文献３）。
【先行技術文献】
【特許文献】
【０００４】
【特許文献１】特表２００３−５１１７６１号公報
【特許文献２】実用新案登録第３１５１８８６号公報
【特許文献３】特開２００２−１４９３３１号公報
【考案の概要】
【考案が解決しようとする課題】
【０００５】
このような電子ペンを用いたシステムを使って、近年、会議やプレゼンテーションを行うニーズが高まっている。そこで、本考案は、会議やプレゼンテーション等で用いる部屋やパーティションボードなどの複数の壁面に、電子ペンで読み取ることができるコード化パターンを形成することで壁面を有効活用したシステムを提供することを目的とする。
【課題を解決するための手段】
【０００６】
本考案に係る情報処理システムは、壁面に取り付けられ、壁面ごとに異なる座標領域の位置座標を示すコード化パターンが形成されたシートと、前記コード化パターンを読み取る読取手段と、前記読取手段から送信されたコード化パターンに関する情報を受信して、当該情報に応じた処理を行うコンピュータ装置とを備え、
前記コンピュータ装置は、前記電子ペンから送信されたコード化パターンに関する情報を受信する受信手段と、壁面と当該壁面に取り付けられたシートに形成されたコード化パターンの座標領域とを対応付けた管理テーブルを記憶する記憶手段と、前記記憶手段に記憶された前記管理テーブルを参照して、前記受信手段により受信したコード化パターンに関する情報から電子ペンで記入されたシートを識別する処理手段とを備えることを特徴とする。
【０００７】
本考案によれば、記憶手段には、各壁面とそれぞれに取り付けられたシートに形成されたコード化パターンの座標領域とを対応付けた管理テーブルが記憶されているため、処理手段は、この管理テーブルにより、電子ペンから送信された情報が、どの壁面のシートに記入されたものであるのか識別することができる。
【０００８】
さらに、上記情報処理システムにおいて、隣接する壁面に形成されたコード化パターンにより示される位置座標が、壁面の境界で連続するよう構成するとよい。この構成により、壁面の境界の際まで、電子ペンで記入することができ、壁面を有効活用することができる。
【０００９】
さらに、上記情報処理システムにおいて、前記シートには、壁面ごとに識別情報を形成するとよい。この構成により、ユーザにとって各壁面に取り付けられているコード化パターンの識別情報が分かりやすくなる。
【考案の効果】
【００１０】
本考案によれば、コンピュータ装置の処理手段は、記憶手段に記憶された管理テーブルを参照して、電子ペンから送信された情報が、どの壁面に取り付けられたシートに記入されたものであるのか識別することができ、壁面を有効活用してシステムを構成することができる。
【図面の簡単な説明】
【００１１】
【図１】第１実施形態における情報処理システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置の機能ブロック図である。
【図６】管理テーブルのデータ構造を示す概念図である。
【図７】第１実施形態におけるシート識別処理のフロー図である。
【図８】第２実施形態における情報処理システムのシステム構成図である。
【図９】第２実施形態におけるシート識別処理のフロー図である。
【図１０】第３実施形態における情報処理システムのシステム構成図である。
【図１１】第４実施形態における情報処理システムのシステム構成図である。
【考案を実施するための形態】
【００１２】
以下、図面を参照して、本考案の好適な情報処理システムについて詳細に説明する。
【００１３】
＜第１実施形態＞
［情報処理システムのシステム構成］
図１は、本第１実施形態における情報処理システムのシステム構成図である。図１に示すように、本第１実施形態における情報処理システムは、ユーザが使用する電子ペン１と、電子ペン１から記入情報等を受信して処理するコンピュータ装置２と、ドットパターン（コード化パターン）が印刷され、部屋の各壁面３Ａ〜３Ｃに取り付けられたシート４Ａ〜４Ｃとから構成される。
【００１４】
［シート］
まず、シート４について説明する。シート４Ａ〜４Ｃには、異なる座標領域の位置座標を示すドットパターンが印刷されており、各シート４Ａ〜４Ｃは、部屋やパーティションボードなどの壁面ごとに取り付けられている。各シート４は、壁面に対して接着剤等で貼付してもよく、壁面用のパネルにドットパターンを印刷して壁の表面として用いられるものでもよい。シート４自体の材料は、樹脂等を用いることができる。
【００１５】
［ドットパターン］
続いて、シート４に印刷されるアノト方式のドットパターン（コード化パターン）について説明する。図２は、シート４に印刷されたドットパターンのドットとそのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、シート４上の位置座標が決定されるよう構成されている。このドットパターンは、赤外線を吸収するカーボンを含有するインクによって印刷されている。
【００１６】
図３（ａ）は、ある位置のドットパターンの配列を示している。図３（ａ）に示すように、縦横約２ｍｍの範囲内に６×６個のドットが、シート４上のどの部分から６×６ドットを取ってもユニークなパターンとなるように配置されている。これら３６個のドットにより形成されるドットパターンは、シート４における相対的な位置座標を保持している。図３（ｂ）は、図３（ａ）に示す各ドットを、格子の基準位置からのシフト方向によって、図３に示す規則性に基づいて対応づけられた値に変換したものである。この変換は、ドットパターンの画像を撮影する電子ペン１によって行われる。
【００１７】
［電子ペン］
次に、電子ペン１について説明する。図４は、電子ペン１の構造を示す概略図である。図４に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４には、布等で拭うことで消去可能なインクが充填されており、そのペン先部１０３でストロークをシート４に記入することができる構成となっている。ユーザは、電子ペン１のペン先部１０３をシート４に当接させて、文字等のストロークを記入したり、タップ（ペン先部１０３によるシート４への軽叩）したりする。ここで、電子ペン１のペン先部１０３がシート４０２等に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００１８】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりシート４に文字やマークを書いたりタップしたりする際にペン先部１０３からペン部１０４を通じて与えられる圧力、即ち筆圧を検出し、その値をプロセッサ１０８へ伝送する。
【００１９】
プロセッサ１０８は、圧力センサ１０７から与えられる筆圧データに基づいて、ＬＥＤ１０５及びＣＭＯＳカメラ１０６のスイッチのオン／オフを切換える。即ち、ユーザが電子ペン１でシート４に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。また、ユーザが１つのストロークを記入し終えて電子ペン１をシート４から離すと、圧力センサ１０７は、所定値以上の筆圧が検出されなくなることでペンアップを検出する。
【００２０】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、シート４上のペン先部１０３近傍に向けて赤外線を照射する。その領域は、ペン先部１０３がシート４に接触する位置とはわずかにずれている。ＣＭＯＳカメラ１０６は、ＬＥＤ１０５によって照射された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。したがって、ＣＭＯＳカメラ１０６の撮影により、赤外線の反射量の違いから閾値を設けることによって、カーボンを含むドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００２１】
プロセッサ１０８は、ユーザの記入が行われる間、ＣＭＯＳカメラ１０６によって供給される画像データのドットパターンから、ユーザが記入するストローク（筆跡）のシート４上におけるＸ，Ｙ座標（単に「位置座標」、「座標データ」とも呼ぶ）とシート４に固有のドットパターンアドレス（コード化パターンアドレス）とを連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値及びＹ座標ビット値に変換して、そのデータ配列から所定の演算方法によりＸ，Ｙ座標データ及びドットパターンアドレスを演算する。そしてプロセッサ１０８は、リアルタイムクロック１１０から発信される現在時刻（タイムスタンプ：記入された時刻情報）、筆圧データ、ドットパターンアドレス及びＸ，Ｙ座標データとを関連付ける。なお、シート４における６×６のドットパターンは、シート４内で重複することはないため、ユーザが電子ペン１で文字等を記入すると、記入された位置がシート４のどの位置に当たるかを、プロセッサ１０８による座標演算により特定することができる。
【００２２】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、１回のペンダウンからペンアップまでに電子ペン１により生成されるＸ，Ｙ座標データ、ドットパターンアドレス、時刻情報（タイムスタンプ）、筆圧データ（以上、「ストローク情報」）と、ペンＩＤ（電子ペン識別情報）とを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。
【００２３】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成されるパーソナルコンピュータ等で構成される。図５は、コンピュータ装置２の機能ブロック図である。コンピュータ装置２は、機能的には、マウスやキーボードといった入力手段２１、受信手段２２、処理手段２４、記憶手段２５、表示手段２６及び送信手段２７を備える。そして、コンピュータ装置２は、電子ペン１から受信した記入情報に基づいて所定の処理を行う。
【００２４】
受信手段２２は、アンテナや受信回路等により構成され、電子ペン１から記入情報を受信し、処理手段２４に伝送する。送信手段２７は、処理手段２４の指示によって、表示手段２６の画像表示に用いられる画像信号をプロジェクター６（後述）等に出力するもので、プロジェクター６へのデータ送信方式は、有線式であっても無線式であってもよい。表示手段２６は、ディスプレイ等によって構成され、処理手段２４によって指示された内容を表示する。
【００２５】
記憶手段２５は、ハードディスクやＲＯＭ、ＲＡＭといったメモリによって構成される。記憶手段２５は、各壁面３Ａ〜３Ｃとそれぞれに取り付けられたシート４Ａ〜４Ｃに印刷されたドットパターンアドレスおよびドットパターンの座標領域とを対応付けた管理テーブルを記憶している。図６は、管理テーブルのデータ構造を示す概念図である。図示のように、各シート４Ａ〜４Ｃに印刷されたドットパターンの座標領域は、角位置（ｘｎ，ｙｎ）、高さＨｎ、幅Ｗｎで表される。角位置と高さ及び幅が決まることにより、この座標領域に含まれる位置座標を特定できる。この管理テーブルにより、電子ペン１から送信された記入情報が、どの壁面３のどのシート４に記入されたものであるのか識別できるようになっている。また、記憶手段２５は、電子ペン１から送信された記入情報を記憶する。さらに、記憶手段２５には、記入情報を処理するプログラム等も記憶されている。
【００２６】
処理手段２４は、ＣＰＵ等のプロセッサによって構成され、受信手段２２により電子ペン１から受信した記入情報を受信すると、記憶手段２５に記憶された管理テーブルを参照して、電子ペン１によって記入されたシート４を識別し、記憶手段２５に記憶されたプログラムによって種々の処理を行う。また、処理手段２４は、表示手段２６に表示させる画像と同じ画像を同期させてプロジェクター６に投影させるための画像信号を、送信手段２７に出力させる。
【００２７】
＜シート識別処理のフロー＞
次に、図７を参照して、情報処理システムにおけるシート識別処理について説明する。
【００２８】
図７は、シート識別処理のフロー図である。まず、ユーザが、電子ペン１を用いて、壁面３のシート４上に記入ないしタップを行う。すると、電子ペン１は、圧力センサ１０７によって所定値以上の筆圧が検出されたことによりシート４への接触を検出し、ＬＥＤ１０５によって赤外線を照射しつつカメラ１０６によって筆跡に沿ってドットパターンを撮像し、プロセッサ１０８によって、撮像されたドットパターンの画像データから筆跡に沿ったＸ，Ｙ座標を連続的に演算し、当該位置座標、リアルタイムクロック１１０により発信された時刻情報、筆圧データ（以上、「ストローク情報」）及びペンＩＤと関連付けて、記入情報として即時且つ逐次的にコンピュータ装置２へ送信する（ステップＳ１０１）。
【００２９】
コンピュータ装置２では、受信手段２２が、電子ペン１から記入情報（ストローク情報及びペンＩＤ）を受信すると、その記入情報を記憶手段２５に記憶する（ステップＳ２０１）。そして、処理手段２４は、記憶手段２５に記憶された管理テーブルを参照して、記入情報のストローク情報に含まれる座標データから、どの壁面３のシート４に記入されたものであるかを特定する（ステップＳ２０２）。続いて、処理手段２４は、特定されたシート４用のファイルにストローク情報を記憶手段２５に記憶させるとともに、表示手段２６にストロークを描画するなどの処理を行う（ステップＳ２０３）。
【００３０】
＜本第１実施形態の作用効果＞
このように、本第１実施形態における情報処理システムによれば、記憶手段２５には、各壁面３Ａ〜３Ｃとそれぞれに取り付けられたシート４Ａ〜４Ｃに印刷されたドットパターンの座標領域とを対応付けた管理テーブルが記憶されているため、処理手段２４は、この管理テーブルにより、電子ペン１から送信された記入情報が、どの壁面３に取り付けられたシート４に記入されたものであるのか識別できる。
【００３１】
＜第２実施形態＞
次に、第２実施形態における情報処理システムを説明する。第２実施形態の説明では、第１実施形態と異なる構成を中心に説明する。また、第２実施形態において、第１実施形態と同じ符号を付している構成は、特に言及しないものについては、第１実施形態と同様の構成である。
【００３２】
図８は、本第２実施形態における情報処理システムのシステム構成図である。本第２実施形態では、図８に示すように、情報処理システムでは、コンピュータ装置２の送信手段２７にプロジェクター６が接続されており、表示手段２６と同じ画像が同期して、プロジェクター６によりシート４へ投影されている。また、コンピュータ装置２の処理手段２４は、キャリブレーション処理を実行する機能を有しており、シート４におけるドットパターンの座標系をコンピュータ装置２の表示手段２６の表示画面における座標系に変換するための座標変換関数が求められ、記憶手段２５にその座標変換関数が記憶される。なお、図８に示す例は、壁面３Ａに取り付けられたシート４Ａに向けて、プロジェクター６により画像が投影されているが、プロジェクター６の向きを変えて、シート４Ａ〜４Ｃのいずれに対して画像を投影してもよい。ただし、プロジェクター６の向きを変える都度、キャリブレーション処理を行い、座標変換関数を更新する。
【００３３】
ここで、本第２実施形態の情報処理システムにおいては、シート４に対する電子ペン１のペン先部１０３の移動軌跡（筆跡）に応じて、ストロークがプロジェクター６により投影されるため、電子ペン１のペン部１０４にはインクが充填されておらず、シート４にインクを直接付ける構造になっていなくとも良い。
【００３４】
＜シート識別処理のフロー＞
次に、図９を参照して、情報処理システムにおけるシート識別処理について説明する。
【００３５】
図９は、第２実施形態におけるシート識別処理のフロー図である。ユーザが、電子ペン１を用いて、壁面３のシート４上に記入ないしタップを行う。電子ペン１は、圧力センサ１０７によって所定値以上の筆圧が検出されたことによりシート４への接触を検出し、ＬＥＤ１０５によって赤外線を照射しつつカメラ１０６によって筆跡に沿ってドットパターンを撮像し、プロセッサ１０８によって、撮像されたドットパターンの画像データから筆跡に沿ったＸ，Ｙ座標を連続的に演算し、当該位置座標、リアルタイムクロック１１０により発信された時刻情報、筆圧データを含むストローク情報と、ペンＩＤとを関連付けて、記入情報として即時且つ逐次的にコンピュータ装置２へ送信する（ステップＳ３０１）。
【００３６】
コンピュータ装置２では、受信手段２２が、電子ペン１から記入情報（ストローク情報及びペンＩＤ）を受信すると、その記入情報を記憶手段２５に記憶する（ステップＳ４０１）。そして、処理手段２４は、記憶手段２５に記憶された管理テーブルを参照して、記入情報のストローク情報に含まれる座標データから、どの壁面３のシート４に記入されたものであるかを特定する（ステップＳ４０２）。そして、処理手段２４は、ストローク情報に含まれる座標データを、記憶手段２５に記憶された座標変換関数により、表示手段２６の表示画面における座標値に変換する（ステップＳ４０３）。続いて、処理手段２４は、特定されたシート４用のファイルに座標変換後のストローク情報を記憶手段２５に記憶させ（ステップＳ４０４）、表示手段２６にストロークを描画するなどの処理を行うとともに、送信手段２７を介してプロジェクター６へ、表示手段２６に表示する画像と同様の画像を壁面３のシート４に投影するための画像信号を逐次送信する（ステップＳ４０５）。
【００３７】
プロジェクター６は、送信手段２７から画像信号を受信する都度、シート４へ画像を投影する（ステップＳ５０１）。このとき、シート４におけるドットパターンの座標系と、コンピュータ装置２の表示手段２６の表示画面における座標系とは、座標変換関数により対応付けられているため、シート４に対する電子ペン１のペン先部１０３の移動軌跡（筆跡）に応じて、ほぼリアルタイムでそのストロークがプロジェクター６により投影される。なお、コンピュータ装置２からプロジェクター６への画像信号の送信は、コンピュータ装置２が電子ペン１から記入情報を受信していなくても、常時行われている。
【００３８】
なお、本第２実施形態の情報処理システムにおいては、コンピュータ装置２で、文書作成用あるいはプレゼンテーション用等の汎用アプリケーションによって作成した会議等の資料を、表示手段２６に表示するとともに、プロジェクター６によりシート４へ投影して、電子ペン１によって、シート４に投影された資料画像に記入するようにしてもよい。この場合、処理手段２４は、ステップ４０４で、座標変換後のストローク情報と、ストローク情報が生成された時に投影されていた資料の画像データあるいは当該資料を特定するデータとを関連付けて、特定されたシート４用のファイルに記憶させるとよい。
【００３９】
＜本第２実施形態の作用効果＞
本第２実施形態における情報処理システムにおいても、第１実施形態における情報処理システムと同様の作用効果を奏するとともに、シート４のドットパターンの座標系と表示手段２６の表示画面における座標系とが対応付けられているため、ユーザによるシート４への電子ペン１を用いた記入に合わせて、ストロークがプロジェクター６により投影される。
【００４０】
＜第３実施形態＞
次に、第３実施形態における情報処理システムを説明する。第１、第２実施形態においては、壁面３ごとに、分断されたシート４Ａ〜４Ｃが取り付けられていたが、この代わりに第３実施形態では、隣接する壁面３同士に形成されたドットパターンにより示される位置座標が、壁面の境界で連続する構成とするものである。
【００４１】
図１０は、第３実施形態の情報処理システムを示す図である。図１０に示すように、帯状の一枚のドットパターンが印刷されたシート４を壁面３Ａ〜３Ｃに合わせて貼付する。このとき、シート４は、壁面３Ａ〜３Ｃの境界によって、各シート４Ａ〜４Ｃに区画される。なお、シート４は、各壁面３Ａ〜３Ｃの全面に渡ることが望ましい。このようにすることで、壁面３ごとに異なる座標領域のドットパターンが形成されることとなる。ここで、記憶手段２５に記憶される管理テーブルには、シート４ごとの区画が分かるように、壁面３とシート４とドットパターンアドレスとドットパターンの座標領域とを対応付けて登録する。シート４の区画を認識させるために隣接するシート４の区画に関する情報を記憶手段２５に記憶させる方法としては、シート４を区画する線の上に電子ペン１で線を引くようになぞって区画線上のドットパターンを読み取らせ、区画線上の座標データを記憶手段２５に記憶させたり、電子ペン１に区画線上の少なくとも２点のドットパターンを読み取らせて処理手段２４に認識させたうえ、区画線を生成させて記憶手段２５に記憶させたりするとよい。
【００４２】
＜本第３実施形態の作用効果＞
本第３実施形態における情報処理システムにおいては、第１，第２実施形態における情報処理システムと同様の作用効果を奏するとともに、隣接する壁面に形成されたドットパターンにより示される位置座標が、壁面３の境界で連続しているため、壁面３の境界の際まで、電子ペン１で記入することができ、壁面３を有効活用することができる。
【００４３】
＜第４実施形態＞
次に、第４実施形態における情報処理システムを説明する。第１〜第３実施形態における各シート４Ａ〜４Ｃに対して、識別情報を印刷するものである。
【００４４】
図１１は、第４実施形態の情報処理システムを示す図である。図１１に示すように、各シート４Ａ〜４Ｃには、固有の識別情報「０１」「０２」「０３」（８〜９）が印刷されている。この識別情報は、電子ペン１によるドットパターンの読取りに障害とならないように、赤外線吸収特性のないインクによって印刷されている。また、記憶手段２５に記憶される管理テーブルには、各壁面３Ａ〜３Ｃにおけるドットパターンの座標領域に対応付けて、当該識別情報が登録されている。
【００４５】
＜本第４実施形態の作用効果＞
本第４実施形態における情報処理システムにおいては、第１〜第３実施形態における情報処理システムと同様の作用効果を奏するとともに、ユーザにとって各壁面３に取り付けられているドットパターンの識別情報が分かりやすくなる。
【００４６】
〔変形例〕
なお、本考案は、上記実施形態に限られない。例えば、上記各実施形態においては、アノト方式のドットパターン（コード化パターン）を用いたが、これに限らなくともよい。
【産業上の利用可能性】
【００４７】
本情報処理システムは、学校の授業や企業での会議室、講演会、プレゼンテーションなどで利用することができる。
【符号の説明】
【００４８】
１…電子ペン
２…コンピュータ装置
２１…入力手段
２２…受信手段
２４…処理手段
２５…記憶手段
２６…表示手段
２７…送信手段
２０１…表示画面
４…シート
６…プロジェクター
【図１】
0003154685.tif 000003
【図２】
0003154685.tif 000004
【図３】
0003154685.tif 000005
【図４】
0003154685.tif 000006
【図５】
0003154685.tif 000007
【図６】
0003154685.tif 000008
【図７】
0003154685.tif 000009
【図８】
0003154685.tif 000010
【図９】
0003154685.tif 000011
【図１０】
0003154685.tif 000012
【図１１】
0003154685.tif 000013